(57)【要約】【課題】本発明は、内容物を計量時に、迅速かつ正確な分量の計量が可能であり、かつ本体容器を傾けて内容物を抽出することを可能とする容器を提供する。【解決手段】上端開口側に計量部を有する容器であって、内容物収納部と前記計量部とを繋ぐパイプ部を有し、前記計量部内における前記パイプ部の上端側から計量位置の間にスリット溝が形成されていることを特徴とし、計量部において、前記スリット溝が注ぎ口とは反対側に形成されていることを特徴とする容器である。【選択図】図２
2015085943.tif 000002
【特許請求の範囲】
【請求項１】
上端開口側に計量部を有する容器であって、内容物収納部と前記計量部とを繋ぐパイプ部を有し、前記計量部内における前記パイプ部の上端側から計量位置の間にスリット溝が形成されていることを特徴とする容器。
【請求項２】
前記計量部において、前記スリット溝が注ぎ口とは反対側に形成されていることを特徴とする請求項１に記載の容器。
【請求項３】
前記計量部で計量される内容物の体積が、前記容器を傾けて前記パイプ部を水平にした際に、内容物の表面が前記スリット溝に到達しない分量となるようにスリット溝が設けられていることを特徴とする請求項１または請求項２に記載の容器。
【請求項４】
前記計量部において、前記計量部の上端と前記パイプ部の上端が同じ高さであることを特徴とする請求項１乃至請求項３のいずれかに記載の容器。
【請求項５】
請求項１乃至請求項４のいずれかに記載の容器において、前記スリット溝の下端から上端までの高さが計量部内のパイプ部全長に対して１／２以上であることを特徴とする容器。
【請求項６】
請求項１乃至請求項５のいずれかに記載の容器において、前記スリット溝の幅と前記パイプ部の幅の比率が１／４以上１／２以下であることを特徴とする容器。
【発明の詳細な説明】
【技術分野】
【０００１】
本発明は、内容物を一定量計測して抽出可能な容器に関するものである。
【背景技術】
【０００２】
従来から、容器内に充填された内容物を容易に一定量計量抽出できる、本体容器と計量部が一体型の計量容器が提案されている。
例えば、特許文献１に示されているように、計量栓内の小径筒に形成された透孔から計量栓内に内容物を注入していき、内容物の表面が透孔よりも上方、つまり過分量となると、内容物は再び透孔を通って容器内へ流下することにより、一定量の内容物が計量栓内に残る構造を備えた容器が提案されている。
【０００３】
しかし、特許文献１に記載の容器は、計量した内容物を計量栓内からストロー管を用いて直接口腔内に吸込む構造であるため、内容物を計量後に容器本体を傾けて抽出することを想定していない。そのため、容器本体が傾けられた場合には、計量栓内で計量された内容物が透孔を通って再度容器内に戻ってしまう可能性がある。この場合、計量した内容物が容器内に戻った分だけ少なくなってしまうので、一定量を抽出することはできないおそれがあった。また、内容物を透孔からのみ計量栓内に注入するので、内容物注入時に時間がかかるといった問題があった。
【先行技術文献】
【特許文献】
【０００４】
【特許文献１】実公昭６４−３２３６４号公報
【発明の概要】
【発明が解決しようとする課題】
【０００５】
本発明はこれらの問題を鑑みて、内容物を迅速かつ正確に計量することが可能であり、かつ本体容器を傾けて内容物を抽出することを可能とする容器を提供することを目的とする。
【課題を解決するための手段】
【０００６】
本発明の請求項１に係る発明は、上端開口側に計量部を有する容器であって、内容物収納部と前記計量部とを繋ぐパイプ部を有し、前記計量部内における前記パイプ部の上端側から計量位置の間にスリット溝が形成されていることを特徴とする容器。
【０００７】
本発明の請求項２に係る発明は、前記計量部において、前記スリット溝が注ぎ口とは反対側に形成されていることを特徴とする請求項１に記載の容器。
【０００８】
本発明の請求項３に係る発明は、前記計量部で計量される内容物の体積が、前記容器を傾けて前記パイプ部を水平にした際に、内容物の表面が前記スリット溝に到達しない分量であることを特徴とする請求項１に記載の容器。
【０００９】
本発明の請求項４に係る発明は、前記計量部において、前記計量部の上端と前記パイプ部の上端が同じ高さであることを特徴とする請求項１に記載の容器。
【００１０】
本発明の請求項５に係る発明は、請求項１に記載の容器において、前記スリット溝の下端から上端までの高さが計量部内のパイプ部全長に対して１／２以上であることを特徴とする容器。
【００１１】
本発明の請求項６に係る発明は、請求項１に記載の容器において、前記スリット溝の幅と前記パイプ部の幅の比率が１／４以上１／２以下であることを特徴とする容器。
【発明の効果】
【００１２】
請求項１の発明によれば、パイプ部において、計量される内容物の容積の上端位置にスリット溝が形成されているので、計量部に流入した内容物の表面がスリット溝の下端位置より上方になった際に、スリット溝を介して再び内容物収納部に戻るため、内容物の正確な計量を行うことが可能である。
【００１３】
請求項２の発明によれば、スリット溝を注ぎ口と反対側に形成することで、計量した内容物を本体容器を傾けて抽出する際に、内容物がスリット溝を介して再び内容物収納部に逆流することを防ぐことができる。
【００１４】
請求項３の発明によれば、内容物抽出時にパイプ部が水平となった際に、スリット溝に内容物の表面が届かないため、計量した内容物が内容物収納部に逆流することを防ぐことができる。
【００１５】
請求項４の発明によれば、計量部の上端とパイプ部の上端の高さが同じなので、スリット溝の高さを広く取ることができ、内容物を計量部に短時間で充填できる効果を得られる。
【００１６】
請求項５の発明によれば、計量部内におけるスリット溝の縦幅を広く取ることができるため、計量部に内容物を迅速に流入させることができる。また、内容物収納部を強く圧搾した場合でも、内容物がパイプ部の上端から飛び出るのを防ぐことができる。
【００１７】
請求項６の発明によれば、スリット溝の横幅を広くとることができるため、計量部に内容物を迅速に流入させることができる。
【図面の簡単な説明】
【００１８】
【図１】本発明の一実施例を示した容器の概略図である。
【図２】内容物注入後における図１の垂直方向のＡ−Ａ’断面図である。
【発明を実施するための形態】
【００１９】
本発明の一実施形態について図面を参照しながら説明する。なお、説明を簡単にするため、各図の対応する部位には同じ符号を付している。
【００２０】
図１、図２において、容器１は計量部２と内容物収納部３、パイプ部６、スリット溝７、蓋（図示せず）から構成されている。容器１は上端開口側に計量部２を、計量部２の下端に内容物収納部３を連接して構成されおり、パイプ部６は計量部２と内容物収納部３とを連通して形成されている。また、計量部２内に在するパイプ部６には、注ぎ口１０と反対側の上端位置付近にスリット溝７が形成されている。さらに、計量部２の天面には、図示しないがヒンジ部等を介して蓋が取り付けられている。
【００２１】
図２に示す容器１において、蓋を開けた状態で内容物収納部３を外側から圧搾することで、内容物収納部３に充填されている内容物４はパイプ部６を通り、パイプ部６の上部に設けられたスリット溝７から計量部２内に注入されていく。ここで、注入された内容物４’の表面５の高さがスリット溝７の下端９より高くなると、過剰分の内容物はスリット溝７を通過して再びパイプ部６より内容物収納部３に収納されるため、スリット溝７の下端９の高さを決定することにより、一定量の計量が可能となる。その後、容器１を傾けることで、一定量に計量された内容物４’は注ぎ口１０より抽出される。
【００２２】
計量部２と内容物収納部３は接続されていれば良く、その接続方法は限定されないが、例えばねじ勘合８により接続することが挙げられる。
【００２３】
計量部２は透明又は半透明であることが必要である。計量部２を構成する材料には、例えばポリエチレン，ポリプロピレン，ポリスチレンなどの熱可塑性樹脂が考えられるが、強度と落下耐性のため、特にブロックコポリマーのＰＰ樹脂、またはランダムコポリマーのＰＰ樹脂を用いることが望ましい。
なお、蓋をヒンジ部等で計量部に接続する場合、インナーリングで内容物４’を密封する構造が望ましい。
【００２４】
パイプ部６は内容物収納部３に充填された内容物４を計量部２に注入するための機構である。そのため、パイプ部６は、内容物収納部３の底面付近から計量部２の上端付近まで到達する長さがあればよい。なお、内容物抽出時には本体容器１を傾けるためパイプ部６がほぼ水平となる。その際、内容物収納部３への逆流を防ぐため、スリット溝７に内容物４’の表面が到達しない高さの分量を計量することが望ましい。従って、容器１を傾けたときの内容物４’の高さの上限に相当する、即ち、計量部２内におけるパイプ部６の注ぎ口１０からの距離は、計量する容量によって決定される。
【００２５】
パイプ部６と計量部２は一体成形で作成しても良いし、計量部２にパイプ部６が通る穴を開けておき、容器１の組み立て時に取り付けて作成しても良い。なお、パイプ部６を通じて内容物４を計量部２に注入できればよいので、パイプ部６は垂直に形成される必要は無く、例えば、計量部２に対して斜めに形成しても良い。
【００２６】
スリット溝７の形成方法は特に限定されないが、パイプ部６形成時の金型にあらかじめ溝を開けておき、原料となるプラスチックを射出成形又は吹き込み成形による方法でも良いし、パイプ部６を成形後にレーザにより孔を開ける方法で形成しても良い。
【００２７】
スリット溝７の横幅は、パイプ部６の直径に対して、１／２〜１／４程度にすることが好ましい。１／４未満だと計量部２内に内容物４が注入される速度が遅くなり、１／２以上だと抽出時に本体容器１を傾けた際に、内容物４’がスリット溝７を介して内容物収納部３内に逆流する結果、内容物の正確な計量ができなくなる恐れがあるためである。
【００２８】
スリット溝７の下端から上端までの高さは、計量部２内におけるパイプ部６の全長に対して１／２以上とし、この区間において１行のスリットを穿つことが望ましい。これは、１／２未満だと計量部２内に内容物４が注入される速度が遅くなる他、圧搾時に誤って必要以上の力を入れた場合に吹きこぼれる可能性が高まるためである。なお、スリット溝７の十分な高さを得るために、パイプ部６の上端と計量部２の上端の高さは一致していることが好ましい。
【００２９】
計量部２に内容物４を注入するには、内容物収納部３を圧搾する必要がある。よって、内容物収納部３の材質は可撓性を持てば何でも良く、例えばポリプロピレンなどのポリオレフィン及びポリエチレンテレフタレートなどのポリエステル、ポリカーボネートが挙げられる。
【００３０】
以上、本発明の実施形態を例示したが、本発明は前記実施形態に限定されるものではなく、発明の目的を逸脱しない限り任意のもので代用できることはいうまでもない。
【符号の説明】
【００３１】
１・・・容器
２・・・計量部
３・・・内容物収納部
４・・・内容物
５・・・内容物の表面
６・・・パイプ部
７・・・スリット溝
８・・・ねじ構造
９・・・スリット溝の下端
１０・・・注ぎ口
【図１】
2015085943.tif 000003
【図２】
2015085943.tif 000004